(57)【特許請求の範囲】
【請求項１】
焼調理される食材の載置される焼き網を受け入れる開口部、及び、前記焼き網が載置される段部の形成された前記開口部の周囲の側壁、を有する箱状の本体と、
前記開口部内に延びるように配置された、棒状のランプヒータ、及び、該ヒータの外周を囲む、該ヒータからの熱を受けて赤熱状態となる非透明のカバー、を有するランプヒータ組立体と、
を具備する焼物器であって、
前記ランプヒータが、炭素質発熱体、該発熱体の下方に配置された反射板、並びに、前記炭素質発熱体及び前記反射板が封入される透明管を有するカーボンランプヒータであり、
前記カバーが、耐熱性の金属薄板製であり、
前記カバーの表面温度が５００℃以上となって、前記食材から落下あるいは飛散する油分が前記カバーに落下あるいは当たっても弾かれて、煙の発生が抑制され、
前記カバーが前記ヒータの外周全周を取り囲むとともに、該カバーの前後端は前記本体の前記側壁を貫通して前記本体内に突き出していることを特徴とする焼物器。
【請求項２】
前記カバーの断面形状が円形であり、その半径は、前記ランプヒータの半径よりも１〜１０ｍｍ大きく、
前記金属薄板の厚さは０．５ｍｍ以下であることを特徴とする請求項１記載の焼物器。
【発明の詳細な説明】
【技術分野】
【０００１】
本発明は、食材を下方から加熱して焼き上げる下火式の焼物器に関する。特には、炭火焼と同等の焼き上がりを得られるとともに、食材から落下あるいは飛散する油の燃焼による煙の発生を抑えた焼物器に関する。
【背景技術】
【０００２】
焼き鳥や焼き魚などを、炭火焼と同等の焼き上がりで調理できる焼物器の熱源として、近年ではランプヒータが使用されつつある。ランプヒータはハロゲンランプやカーボンランプを熱源とするものであり、シーズヒータやニクロム線等を使用したヒータと比べて、省電力であることやオンオフ制御が容易である点で優れている。このうち、カーボンランプヒータを使用した焼物器が提案されている（例えば特許文献１参照）。カーボンランプヒータは、炭素系物質を含む焼結体からなる平板状の炭素系発熱体を石英ガラス管に封入したものである。炭素系発熱体は通電されると赤外線を放出する。この赤外線放射率は０．８６であり、黒体の放射率１．０に近い状態であるとされている。
【０００３】
下火式の焼物器の場合、調理中に食材から油分が熱源に落下あるいは飛散する。カーボンランプヒータの場合、油分が石英ガラス管に付着すると、油分が燃焼して煙が発生するとともに、石英ガラス管の表面が白く変色し、透明度が下がる。そこで、この例の焼物器においては、石英ガラス管を保護するために、カーボンヒータと焼き網との間に上凸に形成された透明な耐熱性ガラス板（耐熱カバー）を配置している。ただし、耐熱カバーを、耐熱性に優れる石英ガラス製とした場合、価格が高くなる。また、油分が石英ガラス製のカバーに接すると、この油分が燃焼して煙が大量に発生する。さらに、使い込んでカバーの表面がザラザラになるとさらに油が付着しやすくなる。
【先行技術文献】
【特許文献】
【０００４】
【特許文献１】特開２００２−１６５５５０号公報
【発明の開示】
【発明が解決しようとする課題】
【０００５】
本発明は上記の問題点に鑑みてなされたものであって、遠赤外線が放射され、炭火焼と同等の焼き上がりを得られるとともに、食材から落下あるいは飛散する油の燃焼による煙の発生を抑えた焼物器を提供することを目的とする。
【課題を解決するための手段】
【０００６】
本発明のベースとなる焼物器は、 棒状のランプヒータと、 該ヒータの外周を囲む、該ヒータからの熱を受けて赤熱状態となる非透明のカバーと、を有する電熱バーナーを具備する。
【０００７】
本発明によれば、カバーがランプヒータの外周の全てを取り囲んでいるので、ランプヒータから発せられる熱がカバーとヒータとの間の空間に閉じ込められて、カバーを赤熱状態にまで加熱することができる。そして、このカバーから発せられる赤外線や遠赤外線で食材を焼き調理することができる。また、カバーは、食材から落下あるいは飛散する油分がランプヒータに付着することを防止する。この際、カバーは十分に加熱されているので、油分はカバーに落下あるいは当たっても弾かれて、煙が発生しない。なお、本願発明は下火式の焼物器にも、横・上火式の焼物器にも適用できる。しかし、下火式に適用した場合の効果が最も期待できる。
【０００８】
なお、カバーは、ヒータの全周囲をほとんどスキマなく囲むことが、カバーの温度上昇が良好である点で好ましい。
【０００９】
本発明の他の態様の焼物器は、  焼調理される食材の載置される食材載置台と、  該台の下部に配置された前記に記載の電熱バーナーと、を具備することを特徴とする。
【００１０】
本発明においては、  前記カバーが、耐熱性の金属薄板製であることが好ましい。
このような金属薄板として、例えば１８Ｃr−３Ａｌ−Ｔｉ添加ステンレス鋼（例えば日新製鋼製ＮＣＡ−１（商品名）など）が挙げられる。なお、薄板の厚さは０．５ｍｍ以下であれば赤熱状態になりやすいので好ましい。さらに、金属薄板は石英ガラスに比べて耐久性が良好であり、価格が安い。
【００１１】
本発明においては、  前記カバーの表面温度が５００℃以上であることとすれば、食材から落下あるいは飛散する油分が当たったときに跳ね跳びやすいので、煙を発生させない点で好ましい。
【発明の効果】
【００１２】
以上の説明から明らかなように、本発明によれば、カバーを円筒状としてランプヒータの外周を囲んでいるので、カバーを赤熱状態に加熱しやすい。また、調理中に食材から落下あるいは飛散する油分は、カバーに接触すると跳ね跳ぶので、ほとんど煙を発生しない。
【図面の簡単な説明】
【００１３】
【図１】本発明の実施の形態に係る焼物器に使用されるランプヒータ組立体を示す図であり、図１（Ａ）は平面図、図１（Ｂ）は側面図、図１（Ｃ）は断面図である。
【図２】本発明の実施の形態に係る焼物器の全体の構造を示す斜視図である。
【図３】ランプヒータ組立体を本体に取り付けた状態を示す側面図である。
【図４】図２の焼物器の焼き調理時の煙の発生具合を示す写真である。
【発明を実施するための最良の形態】
【００１４】
以下、本発明の実施の形態について、図面を参照しながら詳細に説明する。
まず、図２を参照して、本発明の実施の形態に係る焼物器の全体の構造を説明する。
焼物器１は、箱状の本体１０と、食材を加熱調理する電熱バーナー２０と、食材が載置される焼き網４０（本体１０の一部を含めて食材載置台という）と、を有する。
【００１５】
本体１０は横長の直方体状の箱状のものであり、上面の中央に開口部１１が形成されている。開口部１１の周囲の側壁には、焼き網４０が載置される段部１２が形成されている。この段部１２の下方に、電熱バーナー２０が配置される。さらに、電熱バーナー２０の下方には、食材から落下する油等を収容する油受け槽が配置されている。
【００１６】
電熱バーナー２０は、複数個（この例では１２個）のランプヒータ組立体２１である。図２に示すように、各ランプヒータ組立体２１は、本体１０の開口部１１内に前後方向に延びるように配置されて、両端が開口部１１の側壁に支持されている。
【００１７】
図１を参照して、ランプヒータ組立体２１について説明する。図１（Ａ）はランプヒータ組立体の平面図、図１（Ｂ）は側面図、図１（Ｃ）は断面図である。
ランプヒータ組立体２１は、棒状のランプヒータ２３と、同ランプヒータ２３の周囲を囲む円筒状のカバー３１と、からなる。この例では、棒状ランプヒータ２３としてカーボンランプヒータを使用する。カーボンランプヒータ２３は、平板状の炭素質発熱体２４と、同発熱体２４の下方に配置された反射板２５と、これらが封入される透明管２６を有する。炭素質発熱体２４は、混練りした原料（グラファイトや無機物質等）を平板状に押し出し成形し、乾燥後に焼成することにより作製される。反射板２５は、図１（Ｃ）に示すように上面が解放された形状であり、ステンレスやアルミニウム等の金属で作製される。透明管２６は、両端が閉口した円筒状の形状で、一方の端部から炭素質発熱体２４に接続するリード２８が延び出ており、同端部にソケット２９がはめ込まれている。透明管２６は、耐熱性に優れた石英ガラス等で作製される。この例では、カーボンランプヒータ２３の消費電力は７００Ｗ、透明管２６の表面の使用可能温度は６００℃以下、透明管２６の長さが３９８ｍｍ、径が２８ｍｍである。
【００１８】
炭素質発熱体２４の一端をリード２８に固着し、反射板２５とともに透明管２６内に挿入する。その後、透明管２６内を例えばアルゴンガス等の不活性ガスで充填する。そして、ソケット２９を透明管に嵌め込むことにより、カーボンランプヒータ２３が作製される。
【００２０】
円筒カバー３１は、図１（Ｃ）に示すように、断面形状が円形であり、長さはカーボンランプヒータ２３の透明管２６の長さより長く（この例では４１５ｍｍ）、半径は透明管２６の半径よりも１〜１０ｍｍ大きい。なお、この半径の差が大きいほど、カバー３１とランプヒータ２３との間の環状空間の体積が広くなり、ランプヒータ２３によるカバー３１の加熱効率が低くなるので、半径の差を１０ｍｍ以下とすることが好ましい。
円筒カバー３１は、耐熱性を有する金属薄板で作製される。このような金属薄板として、例えばステンレス鋼（１８Ｃｒ−３Ａｌ−Ｔｉ、ＮＣＡ−１（商品名）、日新製鋼社製）が挙げられる。また、円筒カバー３１の厚さは、後述するように赤熱状態となることを考慮した場合、できるだけ薄い方が好ましく、例えば０．５ｍｍあるいはそれ未満である。
【００２１】
カーボンランプヒータ２３を円筒カバー３１内に挿入した状態で同ヒータ２３に通電すると、ヒータ２３が発熱し、円筒カバー３１を加熱する。この際、円筒カバー３１が、赤熱状態であるとともに、調理が良好に行え、かつ、油分を弾く程度の温度（例えば５００℃以上、好ましくは６００℃以上、より好ましくは７００〜７５０℃程度）に加熱される。
【００２２】
図３を参照して、ランプヒータ組立体２１を本体１０に取り付けた状態を説明する。
本体１０の開口部１１の前壁１１ａと後壁１１ｂには、同軸上に貫通孔１３、１４が開けられている。各壁の貫通孔１３、１４の周囲には、ランプヒータ組立体２１を支持するリング状の保持部材１５、１６が取り付けられている。ランプヒータ組立体２１はソケット２９を後側にした姿勢で、後壁１１ｂの貫通孔１４から前壁１１ａの貫通孔１３に通される。ランプヒータ組立体２１の先側の部分（カーボンランプヒータ２３と円筒カバー３１）は、前壁１１ａを貫通して同壁より前方に突き出している。実質的な加熱部の前後方向の長さ（焼き網４０の長さ）は２８５ｍｍである。
【００２３】
前述のように、この例では、１２個のランプヒータ組立体２１が、約６５ｍｍの間隔で本体１０の開口部１１に取り付けられている。ランプヒータ組立体２１は、端から４個ずつのグループに分けられており、グループ毎に、本体１０の前面に設けられたスイッチ１８（図２参照）でオンオフされる。
【００２４】
この焼物器１の作用を説明する。
電熱ヒータ２０の各ランプヒータ組立体２１に通電すると、各ヒータ体２１のカーボンランプヒータ２３が発熱する。カーボンランプヒータ２３の炭素質発熱体２４の赤外線放射率は０．８６と非常に高い。また、反射板２５により炭素質発熱体２４から放射された赤外線のほぼ全てが上方に輻射される。円筒カバー３１はカーボンランプヒータ２３の外周の全体を覆っているので、同ヒータ２３から発せられる熱が、カバー３１とカーボンランプヒータ２３との間の環状の空間に閉じ込められることになる。この熱により円筒カバー３１の表面温度が７００〜７５０℃程度に加熱されて赤熱状態となる。この赤熱状態の円筒カバー３１から発せられる遠赤外線により焼き網４０に載せられた食材が加熱調理される。
【００２５】
一般に、カバー３１の表面温度が５００℃以上となると、油分を弾くようになる。この例では、円筒カバー３１は７００℃程度に加熱されているので、調理中に食材から落下する油分がカバー３１で弾かれて、煙が発生しない。一方、石英ガラス製のカバーの場合は４００℃程度に加熱されるが、油分が付着すると燃焼して煙を発生する。
【００２６】
なお、食材から落下する油分がカーボンランプヒータ２３に付着することの防止のためのみであれば、カバー３１を上凸の半円筒形のものとすることもできる。ただし、この場合は、カバーとランプヒータとの間の空間は密閉されないので、カバーが赤熱状態となるほどには加熱されない。前述のように、カバー３１とカーボンランプヒータ２３との間の環状空間の体積が小さいほど、また、カバー３１の厚さが薄いほど、カバーが赤熱状態に加熱されやすいので好ましい。
【００２７】
なお、円筒カバー３１は金属製であって非透明であるので加熱されると赤黒く変色した赤熱状態となるが、ランプヒータ２３から発せられる光は透過しない。
【００２８】
次に、図４を参照して、本発明の焼物器を使用して調理を行った結果について説明する。
比較例として、熱源として本発明の焼物器１に使用したカーボンランプヒータ２３と同じヒータを使用し、油分除けの半円筒状の石英ガラス製のカバーを使用したものを使用した。
【００２９】
図４の右側の４個のランプヒータが本実施例のものを示し、左側の４個のランプヒータが比較例を示す。本実施例のものは、非透明な円筒カバーが赤黒く変色して赤熱状態となっている。一方、比較例のものは、カーボンランプヒータから発する光が石英ガラス製カバーを透過して明るいオレンジ色に光っている。
【００３０】
食材として豚肉を焼き網に乗せたところ、両例とも同等の焼け具合に加熱された。ただし、写真に示すように比較例のものからは白い煙が大量に発生した。一方、本実施例ものはほとんど煙が発生していないことがわかる。
【符号の説明】
【００３１】
１  焼物器
１０  本体                          １１  開口部
１２  段部                          １３、１４  貫通孔
１５、１６  保持部材                １８  スイッチ
２０  電熱バーナー                  ２１  ランプヒータ組立体
２３  カーボンランプヒータ          ２４  炭素質発熱体
２５  反射板                        ２６  透明管
２８  リード                        ２９  ソケット
３１  円筒カバー
４０  焼き網
【図１】
0005497687.tif 000002
【図２】
0005497687.tif 000003
【図３】
0005497687.tif 000004
【図４】
0005497687.tif 000005